(57)【特許請求の範囲】
【請求項１】
排水栓が操作部の操作で作動部を作動して開閉される、その遠隔操作のレリースワイヤにおいて、作動部が、アウタチューブに締結した管状のプランジャーガイドの外周をガイド摺動し、アウタチューブよりの出し引きがされるコアコイルに取付けたプランジャーと、該プランジャーを出没させ、排水口金具に取付けられた支持部（アタッチメント）に装着支持するプランジャー外筒とでなり、プランジャーには、ショックアブソーバスプリングを内在し、排水栓からレリースワイヤへの緩衝がされ、該プランジャーは、管状のプランジャーガイドでガイド摺動されるコアコイル端部を遊着する盲筒状のショックアブソーバ押えと、その外周を被冠する盲筒状のプランジャー軸とでなり、該プランジャー軸の頂端部とショックアブソーバ押えの下端外向フランジとの間にはショックアブソーバスプリングが介在され、コアコイルのプランジャーガイドよりの出し引きで、プランジャーが、支持部に装着支持されるプランジャー外筒の内周面を摺動出没されて、プランジャー軸に接続の排水栓の開閉をし、排水栓のプランジャーへの緩衝で、ショックアブソーバ押えがプランジャー軸内をショックアブソーバスプリングの弾撥力に抗して摺動がされることを特徴とする遠隔操作式排水栓装置。
【請求項２】
プランジャー軸外周には、支持部（アタッチメント）に装着支持するプランジャー外筒を構成し、該プランジャー外筒の上端の上部内フランジとプランジャー軸の下端に形成された下端止リングとの間にリターンスプリングが備えられ、該リターンスプリングの弾撥力でプランジャーの出没が元へ復帰させられることを特徴とする請求項１に記載の遠隔操作式排水栓装置。
【発明の詳細な説明】
【技術分野】
【０００１】  本発明は、排水栓が、レリースワイヤをもってその操作部から作動部への遠隔操作で開閉される浴槽の排水栓装置において、排水栓へ及ぼす衝撃及び荷重を軽減させるものに関する。
【背景技術】
【０００２】  浴槽における遠隔操作式排水栓装置は、その排水栓へ衝撃及び荷重を受けたとき、排水栓には遠隔操作のレリースワイヤが接続されているので、上記衝撃及び荷重を諸に排水栓装置が受け、損傷を招くことが少なくなかった。
そこで、従来の浴槽における遠隔操作式排水栓装置にも、排水栓への衝撃及び荷重が緩衝されるものとして、排水栓を上端に固定した排水栓の筒形支持軸内にショックアブソーバスプリングと、スプリング受けワッシャーとを設け、該スプリング受けワッシャーの裏面に、筒形支持軸の底部を挿通したレリースワイヤのコアコイルの先端を接続したものがあった。【０００３】
【特許文献１】  特開平９−２６８６２４号
【発明の開示】
【発明が解決しようとする課題】
【０００４】  排水栓を上端に固定した排水栓の筒形支持軸内にショックアブソーバスプリングが設けられ、該ショックアブソーバスプリングを受ける筒形支持軸内のスプリング受けワッシャー裏面にレリースワイヤのコアコイル先端が筒形支持軸の底部を挿通して接続されてなる遠隔操作式排水栓装置は、一応、排水栓への衝撃及び荷重を緩衝するものであったが、排水栓への衝撃及び荷重は、必ずしも、一定方向より受けるものではなく、排水栓の支持軸でのみ受けるには強度が不足され、且つ、その衝撃及び荷重の緩衝の弾撥力をスプリング受けワッシャー裏面に接続のコアコイルで受けるには、その部分が細過ぎて、脆弱で、座屈してしまうことになった。
また、コアコイル先端が、筒形支持軸の底部を挿通して、スプリング受けワッシャー裏面へ接続されるものであるので、このコアコイルが排水栓への衝撃及び荷重に耐え得る強度とするには、そのままでは困難を生じ、まして、排水栓の開閉での排水栓の支持軸の昇降にも支障を来たすことになる。
なおまた、この遠隔操作式排水栓装置は、排水栓を上端に固定した排水栓の筒形支持軸内にショックアブソーバスプリングと、スプリング受けワッシャーとを設け、該スプリング受けワッシャーの裏面に筒形支持軸の底部を挿通したレリースワイヤのコアコイルの先端を接続したという軸方向への直線状に伸びる配設構造になっているので、施工時のミスの破損を吸収することが難しかった。【０００５】  そこで、本発明の衝撃及び荷重を緩衝する遠隔操作式排水栓装置は、排水栓による開閉を遠隔操作するレリースワイヤの作動部が、排水栓に及ぼす衝撃及び荷重を受けても充分に耐え得られる、そして、効果的に緩衝し得られる構造の遠隔操作式排水栓装置を得ることにある。
【課題を解決するための手段】
【０００６】  本発明の遠隔操作式排水栓装置は、排水栓が、操作部の操作で作動部を作動して開閉される、その遠隔操作のレリースワイヤにおいて、作動部が、アウタチューブに締結した管状のプランジャーガイドの外周をガイド摺動し、アウタチューブよりの出し引きがされるコアコイルに取付けたプランジャーと、該プランジャーを出没させ、排水口金具に取付けられた支持部に装着支持するプランジャー外筒とでなり、プランジャーには、ショックアブソーバスプリングを内在し、レリースワイヤへの緩衝がされるものである。【０００７】  プランジャーが、アウタチューブに締結した管状のプランジャーガイドでガイド摺動されるコアコイル端部を遊着する盲筒状のショックアブソーバ押えと、その外周を被冠する盲筒状のプランジャー軸とでなり、該プランジャー軸の頂端部とショックアブソーバ押えの下端外向フランジとの間にはショックアブソーバスプリングが介在され、コアコイルのプランジャーガイドよりの出し引きで、プランジャーが支持部に装着支持されるプランジャー外筒の内周面を摺動出没されて、プランジャー軸に接続の排水栓の開閉をし、排水栓のプランジャーへの緩衝で、ショックアブソーバ押えがプランジャー軸内をショックアブソーバスプリングの弾撥力に抗して摺動されるものである。【０００８】  本発明の遠隔操作式排水栓装置は、プランジャー軸外周には、支持部（アタッチメント）に装着支持するプランジャー外筒を構成し、該プランジャー外筒の上端の上部内フランジとプランジャー軸の下端に形成された下端止リングとの間にリターンスプリングが備えられ、該リターンスプリングの弾撥力でプランジャーの出没が元へ復帰させられるものである。
【発明の効果】
【０００９】  本発明の遠隔操作式排水栓装置は、作動部のプランジャーにショックアブソーバスプリングが十分なスペースをとって内在させられたものであるので、排水栓への衝撃及び荷重があっても、プランジャーのショックアブソーバスプリングの弾撥力で充分緩衝でき、且つ、プランジャーが、コアコイル、プランジャーガイド、ショックアブソーバ押え、ショックアブソーバスプリング、プランジャー軸、そしてプランジャー外筒と同心円状に重ね配設した構成とされているので、排水栓への衝撃及び荷重があっても、これらが座屈することなく緩衝することができ、まして、プランジャーを備えた作動部の背丈を低くできるので、床パンのバリヤフリー対策に適している。
また、このプランジャーを備えた作動部は、同心円状に重ね配設した構成であるので、施工時におけるミスの破損を吸収し易いものである。
【発明を実施するための形態】
【００１０】  本発明のレリースワイヤへの緩衝がされる遠隔操作式排水栓装置を説明する。
図１に示すように、排水栓１が、操作部（図示されず）の操作で作動部２３を作動して開閉され、この開閉の遠隔操作がレリースワイヤ２で行われる。
レリースワイヤ２は、外周側のアウタチューブ２１と、該アウタチューブ内周側を摺動するコアコイル２２とでなり、その作動部２３が、アウタチューブ２１の端部に締結した管状のプランジャーガイド３１の外周をガイド摺動し、アウタチューブ２１よりの出し引きがされるコアコイル２２に取付けたプランジャー３と、該プランジャーを出没させ、排水口金具に取付けられた支持部（アタッチメント）４に装着支持するプランジャー外筒４１とでなり、プランジャー３には、ショックアブソーバスプリング３２を内在し、排水栓１からレリースワイヤ２への衝撃及び荷重の緩衝がされるものである。
【００１１】  そして、図２、及び図３で示す如く、アウタチューブ２１よりの出し引きがされるコアコイル２２に取付けたプランジャー３は、アウタチューブ２１の端部に締結した管状のプランジャーガイド３１でガイド摺動されるコアコイル２１端部を遊着する盲筒状ショックアブソーバ押え３３と、その外周を被冠する盲筒状のプランジャー軸３４とでなり、該プランジャー軸の頂端部３４２とショックアブソーバ押え３３の下端外向フランジ３３１との間には、ショックアブソーバスプリング３２が介在される。コアコイル２２のプランジャーガイド３１よりの出し引きで、プランジャー軸３４が、支持部４に装着支持されるプランジャー外筒４１の内周面を摺動出没されて、プランジャー軸３４に接続の排水栓１の開閉をし、該排水栓のプランジャー３への緩衝でショックアブソーバ押え３３がプランジャー軸３４内をショックアブソーバスプリング３２の弾撥力に抗して摺動がされるものである。
【００１２】  プランジャー軸３４外周には、排水口金具に取付けられた支持部（アタッチメント）４に装着支持するプランジャー外筒４１を構成し、該プランジャー外筒の上端の上部内フランジ４１１とプランジャー軸３４の下端に形成された下端止リング３４１との間にリターンスプリング５が備えられ、該リターンスプリングの弾撥力でプランジャー３の出没が元へ復帰させられる。
【００１３】  図２は、プランジャー３が、支持部４に装着支持されたプランジャー外筒４１に没入された状態で、図１の排水栓１が閉状態にあることを示す。
プランジャー３とプランジャー外筒４１と間に介在されるリターンスプリング５は伸張した状態にある。
図３は、プランジャー３が、プランジャー外筒４１より突出された状態で、図１の排水栓１が開状態にあることを示す。
【００１４】  操作部よりの操作で、レリースワイヤ２のアウタチューブ２１内をコアコイル２２が摺動して、アウタチューブ２１の端部に締結された管状のプランジャーガイド３１より突出し、コアコイル２２端部に取付けられたプランジャー３を突出させ、該プランジャーに接続の排水栓１を開状態にする。
プランジャー３の突出は、コアコイル２２端部を遊着する盲筒状のショックアブソーバ押え３３も、コアコイル２２の突出で、管状のプランジャーガイド３１の外周をガイド摺動させて突き上げられる。ショックアブソーバ押え３３外周とプランジャー軸３４内周との間で、ショックアブソーバ押え３３の下端外向フランジ３３１と盲筒状のプランジャー軸３４内の頂端部３４２との間に介在させたショックアブソーバスプリング３２をも、ショックアブソーバ押え３３とプランジャー軸３４とが共に突き上げられる。
そこで、プランジャー軸３４外周とプランジャー外筒４１内周との間で、プランジャー軸３４の下端に形成された下端止リング３４１と、プランジャー外筒の上端の上部内フランジ４１１との間にあるリターンスプリング５が、プランジャー軸３４の突き上げで圧縮される。
そして、このリターンスプリング５の圧縮の弾撥力がプランジャー３の突き上げ（排水栓の図３の開状態）をプランジャー３の没入した状態（排水栓の図２の閉状態）の元へ復帰させることになる。
【００１５】  そして、排水栓の開状態のとき、排水栓に衝撃及び荷重を受けると、ショックアブソーバ押え３３の下端外向フランジ３３１とプランジャー軸３４の頂端部３４２との間にあるショックアブソーバスプリング３２が、ショックアブソーバ押え３３の下端外向フランジ３３１を礎にしたプランジャー軸３４の押圧で収縮され、そして、プランジャー軸３４の下端に形成された下端止リング３４１を下降させ、衝撃及び荷重を吸収して緩衝がされることになる。
【００１６】  レリースワイヤ２の作動部２３の組立ては、図４に示すように、レリースワイヤ２のアウタチューブ２１端部に管状のプランジャーガイド３１を締結し、該プランジャーガイドにプランジャー軸３４の下端に形成される下端止リング３４１、盲筒状のショックアブソーバ押え３３を順次に挿着し、コアコイル２２の端部をショックアブソーバ押え３３に遊着させる。
該ショックアブソーバ押えの外周にショックアブソーバスプリング３２を挿入し、その上を盲筒状のプランジャー軸３４が被冠されて、その下部を前記下端止リング３４１と螺合固着する。
この固着によって、ショックアブソーバスプリング３２がショックアブソーバ軸３４の頂端部３４２とショックアブソーバ押え３３の下端外向フランジ３３１と間に介在されることになる。
以上によって、プランジャー３が構成され、このプランジャー３の外周にリターンスプリング５を挿着した上で、排水口金具に装着支持される支持部４にプランジャー外筒４１が装着され、リターンスプリング５をプランジャー外筒４１の上部内フランジ４１１とプランジャー軸４１の下端止リング３４１との間に介在させることになって、プランジャーガイド３１にプランジャー外筒４１が嵌め止めされて固着される。
その結果、アウタチューブ２１よりの出し引きされるコアコイル２２に取付けたプランジャー３と、該プランジャーを出没させ、支持部４に装着支持するプランジャー外筒４１とでなる作動部２３は、プランジャー３が、プランジャーガイド３１、ショックアブソーバ押え３３、ショックアブソーバスプリング３２、プランジャー軸３４、そしてプランジャー外筒４１を同心円状に重ね配設して構成され、軸方向へ配設した構成でないので、排水栓への衝撃及び荷重を課せられても容易に緩衝でき、そのようなプランジャー３を備えた作動部２３の背丈は低くすることができ、床下の狭いバリヤフリー対策に最適である。
【図面の簡単な説明】
【００１７】
【図１】  遠隔操作式排水栓装置の作動部構成図である。
【図２】  排水栓閉のプランジャー没入時状態図である。
【図３】  排水栓開のプランジャー突出時状態図である。
【図４】  プランジャー組立分解図である。
【符号の説明】
【００１８】      １      排水栓
２      レリースワイヤ
２１    アウタチューブ
２２    コアコイル
２３    作動部
３      プランジャー
３１    プランジャーガイド
３２    ショックアブソーバスプリング
３３    ショックアブソーバ押え
３３１  下端外向フランジ
３４    プランジャー軸
３４１  下端止リング
３４２  頂端部
４      支持部
４１    プランジャー外筒
４１１  上部内フランジ
５      リターンスプリング
【図１】
0005088648.tif 000002
【図２】
0005088648.tif 000003
【図３】
0005088648.tif 000004
【図４】
0005088648.tif 000005